(57)【特許請求の範囲】
【請求項１】
多数の透孔が形成され洗濯物を収容して回転駆動される回転ドラムが水槽内に設けられ、該水槽内の給水、排水および前記回転ドラムの回転制御により洗濯、すすぎ、脱水、乾燥の各工程を実施するとともに、前記各工程とは別の独立した工程もしくは前記乾燥工程において前記回転ドラム内にミストを発生させて洗濯物のシワをのばし消臭を行う噴霧ユニットを備えてなるドラム式洗濯乾燥機において、
前記霧化ユニットは、ミスト発生源としての水を上方位置に設けられる給水口から供給されて貯留する霧化室と、前記霧化室下方に設けられて該霧化室内に貯留された水に対して超音波振動を加えて霧化する超音波振動子と、前記霧化室側壁に設けられて該霧化室内に貯留された水の水位を検知する水位センサとを備えてなり、
前記水位センサは、前記霧化室側壁の上下方向に少なくとも２個配設される導通センサからなり、前記導通センサのうち少なくとも最も上方に配設される導通センサの上方に当該導通センサの上方を覆う庇が設けられ、前記導通センサの上方を覆う庇は、前記霧化室側壁から内方に突出するにしたがい上方に変位する傾斜をもって配設されることを特徴とするドラム式洗濯乾燥機。
【請求項２】
前記上下方向に配設される導通センサは、水平方向に互いに位置をずらして配設されることを特徴とする請求項１に記載のドラム式洗濯乾燥機。
【請求項３】
前記最も上方に配設される導通センサは、前記下方に配設される導通センサよりも前記霧化室側壁の内方に突出して配設されることを特徴とする請求項１または２に記載のドラム式洗濯乾燥機。
【請求項４】
前記最も上方に配設される導通センサの上方に設けられる庇は、前記下方に配設される導通センサの上方に設けられる庇よりも前記霧化室側壁の内方に突出して配設されることを特徴とする請求項１〜３のいずれか一項に記載のドラム式洗濯乾燥機。
【請求項５】
前記上下方向に配設される導通センサの間に前記霧化室側壁から内方に突出して略水平方向に延びる仕切り板が設けられることを特徴とする請求項１〜４のいずれか一項に記載のドラム式洗濯乾燥機。
【請求項６】
前記導通センサのうち少なくとも最も上方に配設される導通センサの上方で、且つ、前記給水口の下方に、前記給水口から供給される水を該給水口から離れた位置に誘導する誘水板が設けられ、
前記誘水板は、前記給水口が設けられる給水口形成側壁から該給水口形成側壁に対向する給水口対向側壁近くまで略水平方向に延設され、前記誘水板と前記給水口対向側壁との間に前記給水口から供給される水を前記給水口対向側壁に沿わせて流す隙間が開口されることを特徴とする請求項１〜５のいずれか一項に記載のドラム式洗濯乾燥機。
【請求項７】
前記誘水板の下面と、前記最も上方に配設される導通センサの上方に設けられる前記庇の上面との間を略鉛直方向に連結する誘水リブが前記霧化室側壁から内方に突出して設けられることを特徴とする請求項６に記載のドラム式洗濯乾燥機。
【請求項８】
前記最も上方に配設された導通センサは、前記誘水板と前記給水口対向側壁との間に開口される隙間の下方位置から離間する方向にずらして配設されることを特徴とする請求項６または７に記載のドラム式洗濯乾燥機。
【発明の詳細な説明】
【技術分野】
【０００１】
本発明は、霧化ユニットおよび、この霧化ユニットを備え、乾燥された衣類等の洗濯物にミストを供給して、衣類等に入ったシワを低減するドラム式洗濯乾燥機に関するものである。
【背景技術】
【０００２】
従来、乾燥工程で、衣類等の洗濯物が入った回転ドラムを高速度で回転させ、乾燥させる間において、洗濯物が回転ドラムの内側壁などに張り付きながら乾燥されるため、乾燥された後の衣類等にシワが入るのが避けられず、このような衣類等をさらにハンガー等に架けて干す際にシワを伸ばすための手間を加えたり、さらにその後にアイロンがけを行ったりといったことが必要であった。
【０００３】
そこで、最近、微細な液滴からなるミストを発生する霧化ユニットを備え、衣類等の入った回転ドラムにミストを導入して、乾燥工程で衣類等に入った静電気やシワを低減する洗濯乾燥機が開発されており、例えば、下記特許文献１に示されるような構成を有するものが知られている。
【０００４】
特許文献１に開示された洗濯乾燥機４０では、図１５（ａ）に示すように、筐体４１内部に弾性的に吊支した外槽４２と、外槽４２内に回転自在に配設されて洗濯物を収容する内槽４３と、内槽４３内に温風を送風する送風手段４４（循環用送風機）と、送風手段４４により送風される空気を加熱する加熱手段４５と、熱交換器を有し、送風手段４４による温風を循環させる温風循環経路４６とを備え、噴霧装置４７が、温風循環経路４６（温風供給路）の加熱手段４５（ヒータ）を経た内槽４３への温風供給口４８近傍に設けられ、乾燥工程において温風循環経路内へミストを噴霧するよう構成されている。そして、乾燥工程にて衣類を撹拌した際に発生する静電気を除去し、静電気による人体への不快感を解消するとともに、乾燥終了後の衣類のシワを低減することができるとされている。
【特許文献１】特開２００３−３１１０６７号公報
【発明の開示】
【発明が解決しようとする課題】
【０００５】
特許文献１に開示された洗濯乾燥機４０に用いられている噴霧装置４７は、図１５（ｂ）に示すように、給水管に接続される入水口４７ａと、ミストを噴射する噴霧口４７ｂとを有し、乾燥工程において温風循環経路４６内へミストを噴霧するように構成されており、単に入水口４７ａから供給された水を内部機構により機械的にミスト状態にして噴霧口４７ｂから噴射するものである。したがって、噴霧口４７ｂから噴射されるミストは、粗大な液滴を主体とするものであり、浮遊性に劣るため、この洗濯乾燥機４０では、ミストを内槽４３内の隅々にまで十分に充満させることができず、衣類全体を湿らせることができず、乾燥終了後に衣類全体にわたってシワを有効に低減することができないという問題があった。
【０００６】
本発明者らは、ミストを用いて洗濯物のシワを低減する方法について鋭意検討を行ってきた。本発明者らの詳細な検討によれば、洗濯物を適度に湿らせ、その後に乾燥させることにより、洗濯物のシワを伸ばすことが可能になる。すなわち、この洗濯物を湿らせる際に、乾燥率９０〜９６％（理想的には９５％）にミストで均一に湿らせるとともに、乾燥する際に、乾燥率９９％以上に乾燥させることが重要であることが分かってきた。なお、ここでいう乾燥率とは、洗濯する前の状態での洗濯物の重量を湿らせた後の洗濯物の重量で除した値に１００を掛けて％表示したものである。
【０００７】
本発明者らが得た知見によると、洗濯物を乾燥率９０〜９６％で均一に湿らせることにより、洗濯物の繊維同士を結合する水素結合を解離させて、繊維同士が自由に動ける状態にすることができる。そして、この状態で回転ドラム内で回転されることによって、洗濯物に入っていたシワが伸ばされ、次に乾燥率９９％以上に乾燥させることによって、シワが伸びた状態の繊維同士に新たな水素結合を形成させて繊維を固定することができる。すなわち、シワが確実にのばされた状態で洗濯物を乾燥させることができる。
【０００８】
しかしながら、ミストの発生手段として、超音波霧化方式を採用した場合、単位時間あたりのミスト発生量は、ミスト発生源となる水の温度、超音波振動子を駆動する発振回路部への入力電圧等の変化により増減する。例えば、１．６ＭＨｚで発振する超音波振動子を用いた場合、他の条件を固定し、水温のみを５℃から３０℃に変化させると、ミスト発生量は約１．５倍になる。また、発振回路に入力する電圧のみを９５Ｖから１０７Ｖに変化させると、ここでもミスト発生量は約１．５倍になる。通常、前述した水温変化、電圧変化は家庭内での普通の使用環境下においてに起こり得る変化であるため、仮に、ミスト発生量が最小となる条件で、洗濯物の乾燥率がシワのばしに最適な９０〜９６％の範囲になるように調整すると、ミスト発生量が最大となる条件ではミスト発生量が過剰になり、洗濯物の乾燥率７０％近くまで低下し、なおかつ不均一に濡れてしまうため、ミストを用いる意味がなくなってしまう。逆に、ミスト発生量が最大となる条件で、洗濯物の乾燥率がシワのばしに最適な９０〜９６％の範囲になるように調整すると、ミスト発生量が最小となる条件では洗濯物が殆ど湿らず、洗濯物の乾燥率が９９％程度にしかならないという問題があった。
【０００９】
さらに、霧化装置内に貯留される水の水位が大きく低下すると、水の温度が上昇し、単位時間あたりのミスト発生量が変化するだけでなく、超音波振動子が劣化したり、破壊されたりすることがある。超音波振動子には使用上限温度が存在し、この上限温度を超えて使用すると、超音波振動子が劣化しやすくなる。超音波振動子の使用上限温度は、圧電素子の内部構造に由来する。例えば、超音波振動子は、チタン酸ジルコン酸鉛等からなる圧電セラミックス体と、その下面および外周面に溶融銀を塗って固形化した電極とを有し、その表面はステンレス箔やチタン箔からなる表面保護材やさらにその上に施されたメッキ
層で覆われることにより保護されている。通常、電極が配された圧電セラミックス体と表面保護材とはエポキシ樹脂系等の接着剤を用いて接着されているが、この接着剤の材質によりその使用可能な上限温度が制限される。すなわち、エポキシ樹脂系接着剤の接着強度は、雰囲気温度が約４０℃を超えると低下し始め、約６０℃を超えるとかなり低下するため、このようなエポキシ樹脂系接着剤が用いられる超音波振動子においては、実用面での使用上限温度が約５０℃であるとされている。
【００１０】
接着剤の材質が変われば、その使用上限温度が変わるため、超音波振動子の使用上限温度を一義的に定めるのは難しいが、エポキシ樹脂系接着剤が用いられる超音波振動子の場合、５０℃以下の温度範囲（例えば、４５〜５０℃）で使用するのが望ましい。また、他の接着剤が用いられる超音波振動子の場合、（使用上限温度−５℃）以上で、かつ、使用上限温度以下の温度範囲で使用するのが望ましい。霧化装置内の水温が超音波振動子の使用上限温度を超える温度になると、超音波振動子の劣化が進行しやすくなり、また、表面保護材やメッキ層が剥がれることになる。また、霧化装置内の水温が（使用上限温度−５℃）未満の温度になると、霧化ユニットで発生されるミストの温度が低くなるため、衣類全体を効率良く湿らせる効果が十分に得られなくなる。
【００１１】
また、霧化装置内の水位が極端に低下した状態（例えば、空焚き状態）が続くと、超音波振動子の圧電セラミック体自体が破壊されることになる。
【００１２】
このような事態に至るのを防止するためには、霧化装置内の水位を測定する水位センサや霧化装置内の水温を測定する温度センサを用いることになる。例えば、霧化装置内の水位状態を検出するために、それぞれ単一の電極を有する一対の導通センサを霧化装置の貯留水域内に上下方向に配設して構成される水位センサを用いた場合、一対の導通センサ間に電流が流れたときに、霧化装置内の水位が上方に位置する導通センサの配設位置よりも高い位置にあるものと検出される。また、超音波の発振エリアを避けた超音波振動子の近くにサーミスタ等の温度センサを配して霧化装置内の水温の測定を行う。
【００１３】
しかしながら、霧化装置内には霧化により消費される水を補給するため、給水口から継続的あるいは断続的に水が供給されており、実際の水位よりも上位にある導通センサや霧化装置の側壁に水飛沫がかかり、水滴として付着する。そして、この導通センサや霧化装置の側壁に付着した水滴等を介して、水滴が付着した導通センサとその下位にある導通センサとの間に電流が流れた場合、霧化装置内の水位が上方に位置する導通センサの配設位置よりも高い位置にあるものと誤検出されることになる。すなわち、実際の水位よりも高い水位状態にあると誤検出されることになる。このように霧化装置内の水位状態を正確に判別することができず、実際の水位よりも高い水位状態にあると誤検出された場合、霧化装置内の水位が大きく低下しても、これ検出することができず、超音波振動子が動作し続け、水温が上昇して、前述したように、単位時間あたりのミスト発生量が変化するだけでなく、超音波振動子の劣化や破壊を招いてしまうことになる。
【００１４】
このような技術的な問題は、上記の特許文献１には開示されておらず、上述したように、この文献に開示された洗濯乾燥機４０では、乾燥した衣類全体を適度に湿らせ、衣類に付いたシワを低減させることはできない。
【００１５】
本発明は、以上のような課題に鑑みて為されたものであり、装置内に貯留された水の水位状態を誤検出することのない霧化ユニットを備え、衣類表面を効果的に適正な乾燥率に湿らせることにより、優れたシワ低減効果を発揮することができるドラム式洗濯乾燥機を提供することを目的としている。
【課題を解決するための手段】
【００１６】
請求項１に係る発明のドラム式洗濯乾燥機は、多数の透孔が形成され洗濯物を収容して回転駆動される回転ドラムが水槽内に設けられ、該水槽内の給水、排水および前記回転ドラムの回転制御により洗濯、すすぎ、脱水、乾燥の各工程を実施するとともに、前記各工程とは別の独立した工程もしくは前記乾燥工程において前記回転ドラム内にミストを発生させて洗濯物のシワをのばし消臭を行う噴霧ユニットを備えてなるドラム式洗濯乾燥機において、前記霧化ユニットは、ミスト発生源としての水を上方位置に設けられる給水口から供給されて貯留する霧化室と、前記霧化室下方に設けられて該霧化室内に貯留された水に対して超音波振動を加えて霧化する超音波振動子と、前記霧化室側壁に設けられて該霧化室内に貯留された水の水位を検知する水位センサとを備えてなり、前記水位センサは、前記霧化室側壁の上下方向に少なくとも２個配設される導通センサからなり、前記導通センサのうち少なくとも最も上方に配設される導通センサの上方に当該導通センサの上方を覆う庇が設けられ、前記導通センサの上方を覆う庇は、前記霧化室側壁から内方に突出するにしたがい上方に変位する傾斜をもって配設されることを特徴とするものである。
【００１７】
この請求項１に係る発明のドラム式洗濯乾燥機によれば、導通センサの上方を覆う庇が内方に向かうにしたがい上方に変位する傾斜角度をもって霧化室側壁に配設されているため、庇に付着した水滴はこの庇を介して霧化室側壁側に流れ、二次的にこの導通センサに付着することがなく、霧化室内に貯留された水の水位状態が誤検出されるのをより確実に防止することができる。これにより、正確に検出された水位状態に基づいて霧化室内の水位を適正範囲に維持することが可能となり、超音波振動子の劣化や破壊を防止することができ、しかも、衣類表面を効果的に適正な乾燥率に湿らせて、優れたシワ低減効果ならびに消臭効果を発現させることができる。
【００１８】
請求項２に係る発明のドラム式洗濯乾燥機は、上記請求項１に係る発明のドラム式洗濯乾燥機において、前記上下方向に配設される導通センサは、水平方向に互いに位置をずらして配設されることを特徴とするものである。
【００１９】
この請求項２に係る発明のドラム式洗濯乾燥機によれば、上下方向に配設される少なくとも２個の導通センサが互いに水平方向に位置をずらして配設されるため、隣接する導通センサ相互間の離間距離が長くなり、導通センサや霧化室側壁に付着した水滴等を介して霧化室内に貯留された水の水位状態が誤検出されるのをより確実に防止することができる。これにより、正確に検出された水位状態に基づいて霧化室内の水位を適正範囲に維持することが可能となり、超音波振動子の劣化や破壊を防止することができ、しかも、衣類表面を効果的に適正な乾燥率に湿らせて、優れたシワ低減効果ならびに消臭効果を発現させることができる。
【００２０】
請求項３に係る発明のドラム式洗濯乾燥機は、上記請求項１〜２のいずれか一項に係る発明のドラム式洗濯乾燥機において、前記最も上方に配設される導通センサは、前記下方に配設される導通センサよりも前記霧化室側壁の内方に突出して配設されることを特徴とするものである。
【００２１】
この請求項３に係る発明のドラム式洗濯乾燥機によれば、最も上方に配設される導通センサが下方に配設される導通センサよりも霧化室側壁の内方に突出して配設されるため、最も上方に配設される導通センサに付着した水滴が下方に落下する際に、下方に配設される導通センサに二次的に付着するのが抑制されることになる。これにより、霧化室内に貯留された水の水位状態が誤検出されるのをより確実に防止して、正確に検出された水位状態に基づいて霧化室内の水位を適正範囲に維持することが可能となり、超音波振動子の劣化や破壊を防止することができ、しかも、衣類表面を効果的に適正な乾燥率に湿らせて、優れたシワ低減効果ならびに消臭効果を発現させることができる。
【００２２】
請求項４に係る発明のドラム式洗濯乾燥機は、上記請求項１〜３のいずれか一項に係る発明のドラム式洗濯乾燥機において、前記最も上方に配設される導通センサの上方に設けられる庇は、前記下方に配設される導通センサの上方に設けられる庇よりも前記霧化室側壁の内方に突出して配設されることを特徴とするものである。
【００２３】
この請求項４に係る発明のドラム式洗濯乾燥機によれば、最も上方に配設される導通センサの上方に設けられる庇が下方に配設される導通センサの上方に設けられる庇よりも霧化室側壁の内方に突出して配設されるため、最も上方に配設される導通センサに水滴が付着するのが抑制されるとともに、最も上方に配設される導通センサに付着した水滴が下方に落下する際に、下方に配設される導通センサに二次的に付着するのが抑制されることになる。これにより、霧化室内に貯留された水の水位状態が誤検出されるのをより効果的に防止して、正確に検出された水位状態に基づいて霧化室内の水位を適正範囲に維持することが可能となり、超音波振動子の劣化や破壊を防止することができ、しかも、衣類表面を効果的に適正な乾燥率に湿らせて、優れたシワ低減効果ならびに消臭効果を発現させることができる。
【００２４】
請求項５に係る発明のドラム式洗濯乾燥機は、上記請求項１〜４のいずれか一項に係る発明のドラム式洗濯乾燥機において、前記上下方向に配設される導通センサの間に前記霧化室側壁から内方に突出して略水平方向に延びる仕切り板が設けられることを特徴とするものである。
【００２５】
この請求項５に係る発明のドラム式洗濯乾燥機によれば、上下方向に配設される少なくとも２個の導通センサの間に霧化室側壁から内方に突出して略水平方向に延びる仕切り板が設けられるため、上方に配設される導通センサに付着した水滴が下方に落下する際に、仕切り板に遮られて、下方に配設される導通センサに二次的に付着するのが抑制されることになる。これにより、霧化室内に貯留された水の水位状態が誤検出されるのをより効果的に防止して、正確に検出された水位状態に基づいて霧化室内の水位を適正範囲に維持することが可能となり、超音波振動子の劣化や破壊を防止することができ、しかも、衣類表面を効果的に適正な乾燥率に湿らせて、優れたシワ低減効果ならびに消臭効果を発現させることができる。
【００２６】
請求項６に係る発明のドラム式洗濯乾燥機は、上記請求項１〜５のいずれか一項に係る発明のドラム式洗濯乾燥機において、前記導通センサのうち少なくとも最も上方に配設される導通センサの上方で、且つ、前記給水口の下方に、前記給水口から供給される水を該給水口から離れた位置に誘導する誘水板が設けられ、前記誘水板は、前記給水口が設けられる給水口形成側壁から該給水口形成側壁に対向する給水口対向側壁近くまで略水平方向に延設され、前記誘水板と前記給水口対向側壁との間に前記給水口から供給される水を前記給水口対向側壁に沿わせて流す隙間が開口されることを特徴とするものである。
【００２７】
この請求項６に係る発明のドラム式洗濯乾燥機によれば、導通センサのうち少なくとも最も上方に配設される導通センサの上方で、且つ、給水口の下方に設けられる誘水板が、この給水口が設けられた給水口形成側壁からこれに対向する給水口対向側壁近くまで延設され、誘水板と給水口対向側壁との間に隙間が開口されており、給水口から供給される水を隙間を介して給水口対向側壁に沿わせて流すように構成されているため、給水口対向側壁に沿って流れ落ちる水が最も上方に配設される導通センサにかかるのが、この導通センサの上方を覆う庇により回避され、この最も上方に配設される導通センサに水滴として付着するのが防止されることになる。これにより、霧化室内に貯留された水の水位状態が誤検出されるのをより効果的に防止して、正確に検出された水位状態に基づいて霧化室内の水位を適正範囲に維持することが可能となり、超音波振動子の劣化や破壊を防止することができ、しかも、衣類表面を効果的に適正な乾燥率に湿らせて、優れたシワ低減効果なら
びに消臭効果を発現させることができる。
【００２８】
請求項７に係る発明のドラム式洗濯乾燥機は、上記請求項１〜６のいずれか一項に係る発明のドラム式洗濯乾燥機において、前記誘水板の下面と、前記最も上方に配設される導通センサの上方に設けられる前記庇の上面との間を略鉛直方向に連結する誘水リブが前記霧化室側壁から内方に突出して設けられることを特徴とするものである。
【００２９】
この請求項７に係る発明のドラム式洗濯乾燥機によれば、最も上方に配設される導通センサ上方の庇の上面と誘水板の下面との間に、両者を連結する誘水リブが霧化室側壁から内方に突出して略鉛直方向に設けられるため、給水口から供給され、給水口対向側壁に沿って流れ落ちる水は、誘水リブによって流れる方向が規制され、最も上方に配設される導通センサの上方を覆う庇によりこの導通センサにかかるのが回避され、この最も上方に配設される導通センサに水滴として付着するのがより効果的に防止されることになる。これにより、霧化室内に貯留された水の水位状態が誤検出されるのをさらに確実に防止して、正確に検出された水位状態に基づいて霧化室内の水位を適正範囲に維持することが可能となり、超音波振動子の劣化や破壊を防止することができ、しかも、衣類表面を効果的に適正な乾燥率に湿らせて、優れたシワ低減効果ならびに消臭効果を発現させることができる。
【００３０】
請求項８に係る発明のドラム式洗濯乾燥機は、上記請求項６または７に係る発明のドラム式洗濯乾燥機において、前記最も上方に配設された導通センサは、前記誘水板と前記給水口対向側壁との間に開口される隙間の下方位置から離間する方向にずらして配設されることを特徴とするものである。
【００３１】
この請求項８に係る発明のドラム式洗濯乾燥機によれば、最も上方に配設された導通センサが誘水板と給水口対向側壁との間に開口される隙間の下方位置から離間する方向にずらして配設されるため、給水口から供給され、給水口対向側壁に沿って流れ落ちる水が、隙間の下方位置から離間した位置にある最も上方に配設される導通センサにかかって水滴として付着するのが抑制されることになる。これにより、霧化室内に貯留された水の水位状態が誤検出されるのをより効果的に防止して、正確に検出された水位状態に基づいて霧化室内の水位を適正範囲に維持することが可能となり、超音波振動子の劣化や破壊を防止することができ、しかも、衣類表面を効果的に適正な乾燥率に湿らせて、優れたシワ低減効果ならびに消臭効果を発現させることができる。
【発明の効果】
【００３２】
本発明によれば、高い温度のミストを発生させ、衣類等の表面に水分を凝縮させることにより、効果的に衣類等を湿らせることができる霧化ユニットおよびこのような霧化ユニットを備えたドラム式洗濯乾燥機を提供することができる。
【発明を実施するための最良の形態】
【００３３】
以下、本発明のドラム式洗濯乾燥機に係る最良の実施の形態について、図面に基づき説明する。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００３４】
（実施の形態１）
まず、本発明の実施の形態１に係る霧化ユニット３０を備えたドラム式洗濯乾燥機１の構造・動作について、図１〜図６に基づき詳細に説明する。図１は、本発明の実施の形態１に係るドラム式洗濯乾燥機の構造を説明するための側面断面図であり、図２は、ドラム
式洗濯乾燥機の循環送風経路および霧化ユニットの配置を説明するための筐体背面側から見た斜視図である。また、図３は、ドラム式洗濯乾燥機の循環送風経路および霧化ユニットにおける乾燥空気とミストの流れを説明するための筐体背面側から見た一部切り欠き断面図であり、図４は、ドラム式洗濯乾燥機の循環送風経路と霧化ユニットとの接続構造を説明するための筐体背面側から見た一部切り欠き断面図である。また、図５は、ドラム式洗濯乾燥機の霧化ユニットと水槽との接続構造を説明するための側面断面図であり、図６は、その拡大側面断面図である。
【００３５】
本発明の実施の形態１に係るドラム式洗濯乾燥機１は、洗濯乾燥機筐体２内に図示しないサスペンション構造によって水槽３が宙吊り状態に配設され、水槽３内に有底円筒形に形成された回転ドラム４がその軸心方向を正面側から背面側に向けて下向きに傾斜させて配設されている。水槽３の正面側には回転ドラム４の開口端に通じる衣類出入口が形成され、洗濯乾燥機筐体２の正面側に形成された上向き傾斜面に設けられた開口部を開閉可能に閉じる扉５を開くことにより、衣類出入口を通じて回転ドラム４内に対して洗濯物を出し入れすることができる。扉５が上向き傾斜面に設けられているため、洗濯物を出し入れする作業を、腰を屈めることなく実施でき、一般には横向きにある開口部から洗濯物を出し入れするドラム式洗濯機の作業性の悪さが改善されている。
【００３６】
回転ドラム４には、その周壁４ａおよび底壁４ｂに水槽３内に通じる多数の透孔４ｃが形成されるととともに、その底壁４ｂには、水槽３に形成された導風口１８に対向する円周方向に沿った複数位置に底面開口４ｄが形成されており、さらに、周壁４ａ内面の複数位置に攪拌突起４ｅが設けられている。この回転ドラム４は、水槽３の背面側に取り付けられたモータ６によって正転および逆転方向に回転駆動される。また、水槽３には、給水管路７および排水管路８が配管接続され、図示しない給水弁および排水弁の制御によって水槽３内への給水および水槽３内からの排水がなされる。
【００３７】
扉５を開いて開口部から回転ドラム４内に洗濯物および洗剤を投入して、ドラム式洗濯乾燥機１の運転を開始すると、水槽３内には給水管路７から所定量の注水がなされ、モータ６により回転ドラム４が回転駆動されて洗濯工程が開始される。回転ドラム４の回転により、回転ドラム４内に収容された洗濯物は回転ドラム４の内周壁に設けられた攪拌突起４ｅによって回転方向に持ち上げられ、持ち上げられた適当な高さ位置から落下する攪拌動作が繰り返されるので、洗濯物には叩き洗いの作用が及んで洗濯がなされる。
【００３８】
所要の洗濯時間が経過した後、汚れた洗濯液は排水管路８から排出され、回転ドラム４を高速で回転させる脱水動作により洗濯物に含まれた洗濯液を脱水し、その後、水槽３内に給水管路７から給水してすすぎ・脱水工程が実施される。このすすぎ・脱水工程においても、回転ドラム４内に収容された洗濯物は、回転ドラム４の回転により攪拌突起４ｅにより持ち上げられて落下する攪拌動作が繰り返され、すすぎ洗いが実施される。そして、すすぎ洗いを実施した後、再度、回転ドラム４を高速で回転させる脱水動作により洗濯物に含まれた水を脱水して、すすぎ・脱水工程を終了する。
【００３９】
このドラム式洗濯乾燥機１には、回転ドラム４内に収容した洗濯物を乾燥する機能が設けられ、水槽３内の空気を排気して除湿し、加熱した乾燥空気を再び水槽３内に送風する循環送風経路９が設けられている。この循環送風経路９の途中には、洗濯乾燥機筐体２内の下位の位置に、蒸発器１０などの除湿手段、凝縮器１１などの加熱手段および送風ファン１２などの送風手段が設けられている。循環送風経路９は、水槽３から送風ファン１２に至る間の循環空気導入管路１３と、送風ファン１２から水槽３に至る間の乾燥空気送風管路１４とで構成されており、乾燥空気送風管路１４おける水槽３底面に形成された導風口１８に近接した上方の位置に後述する霧化ユニット３０が接続されている。
【００４０】
乾燥空気送風管路１４は、洗濯乾燥機筐体２内の後方（水槽３の背面側）の空間において、上流側から順に、下部管路１５、可撓ダクト１６および上部管路１７をもって構成されており、上部管路１７の下流端の下方に連通口１７ａが開口され、この連通口１７ａは水槽３の背面に設けられた導風口１８に接続されている。上部管路１７は、その下方部分においては筐体２の中央寄りに傾斜して立ち上げられ、途中で略９０°屈曲されて、その上方部分においては水槽３の導風口１８に向けて下方に傾斜している。可撓ダクト１６は、可撓性を有する管材を用いて構成され、回転ドラム４の回転あるいは始動・停止に伴う下部管路１５の振動が送風ファン１２側に伝達されるのを防止している。蒸発器１０で除湿され、凝縮器１１で加熱された乾燥空気は、乾燥空気送風管路１４を経由して、この導風口１８から水槽３、およびその内部に位置する回転ドラム４に送り込まれる。
【００４１】
送風ファン１２を高速で回転駆動することにより、循環送風経路９に空気の流れが発生して、洗濯物を収容した回転ドラム４内の湿気た空気は、周壁４ａに設けられた透孔４ｃを通じて水槽３から送風ファン１２側への循環空気導入管路１３に排気され、送風ファン１２の上流に位置する蒸発器１０により水分を結露させて除湿されるとともに、凝縮器１１との熱交換により加熱されることにより、高温の乾燥空気とされる。
【００４２】
この加熱された乾燥空気は、送風ファン１２から水槽３への乾燥空気送風管路１４に送り出されて、水槽３に設けられた導風口１８を介して水槽３内に送り込まれる。水槽３内に送り込まれた高温の乾燥空気は、回転ドラム４の底壁４ｂに設けられた底面開口４ｄおよび透孔４ｃを通じて回転ドラム４内に導入され、衣類などの洗濯物の間を流通し、乾燥させながら、湿った空気となって周壁４ａに設けられた透孔４ｃから水槽３へと抜け、再度、循環空気導入管路１３へと導入される。このような循環送風経路９（循環空気導入管路１３、乾燥空気送風管路１４）での空気の循環により乾燥工程が実施される。
【００４３】
ここで、本実施の形態１に係るドラム式洗濯乾燥機１には、後述する霧化ユニット３０および、回転ドラム４を回転させながら乾いた衣類のシワをのばして低減させることを目的とした「シワのばしコース」が設けられている。この「シワのばしコース」においては、蒸発器１０および凝縮器１１を停止させ、回転ドラム４および送風ファン１２の回転速度を通常の乾燥工程におけるよりも低速で回転させるとともに、霧化ユニット３０を起動させることにより、霧化ユニット３０で微細な液滴からなるミスト２０を発生させ、このミスト２０を乾燥空気送風管路１４を流通する乾燥空気流に落とし込んで、詳しくは後述するが、ミスト２０中に微細なウェットミストおよびドライミストが多く存在する状態で水槽３に送り込み、回転ドラム４内に導入する。このようにして、回転ドラム４内の隅々にまでミスト２０を充満させ、衣類表面を効果的に湿らせて、乾燥状態にある衣類のシワを低減させるシワ低減効果を持たせた工程が実行される。さらに、その後、霧化ユニット３０を停止させ、回転ドラム４および送風ファン１２の回転速度を通常の乾燥工程と同じ速度にまで上昇させるとともに、蒸発器１０および凝縮器１１を動作させて、通常の乾燥運転を実施して、衣類を乾燥させながらその衣類のシワをのばすことができる。
【００４４】
また、上記の「シワのばしコース」においては、上記のようにミスト２０でシワを低減することが可能であるとともに、さらに以下の原理により脱臭効果も期待できるものである。通常、臭いは、臭い成分が分子として衣類表面に付着している。例えば、タバコ、焼肉の臭いなどがそうであるが、この臭い分子にミスト２０がぶつかることで、繊維との結合している臭い分子を水分子で置換する作用により、衣類から脱離させる。そして、このようなミスト処理後に、乾燥運転を行い、臭い成分が溶解している水を高温低湿な空気により蒸発させることで、臭い分子が衣類に再付着することを防止し、脱臭することが可能となる。
【００４５】
つぎに、本実施の形態１に係る霧化ユニット３０の構造および「シワのばしコース」の
構成について、図７〜図９および前掲の図面に基づき詳細に説明する。図７は、本発明の実施の形態１に係るドラム式洗濯乾燥機の霧化ユニットの構造を説明するための側面断面図であり、図８は、その背面断面図であり、図９は、その正面断面図である。  霧化ユニット３０は、水槽３の後方（背面）側に配置され、ミスト発生源としての水２１（液体）を貯留する水溜め容器３１（霧化室）と、水溜め容器３１に貯留された水２１に対して超音波振動を加える超音波振動子３２と、水溜め容器３１内貯留された水２１の水位を検知する水位センサ３３と、を備えて構成されている。そして、霧化ユニット３０の水溜め容器３１が、水槽３の背面において導風口１８に隣接した上方位置で、接続口３１ｇを介して直接乾燥空気送風管路１４（循環送風経路９）の上部管路１７に接続されている。
【００４６】
水溜め容器３１は、水槽３の背面外側に配置され、水溜め容器３１の水槽３に対向する前方側の前方側壁３１ｂが水槽３の背面に沿って鉛直方向に対して傾斜して形成され、後方側の後方側壁３１ｃ（霧化室側壁）が洗濯乾燥機筐体２の背面パネルに沿って略鉛直方向に形成され、水溜め容器３１の底壁３１ａ側が幅広に形成されている。また、水溜め容器３１の上部管路１７に接続される側の給水口形成側壁３１ｄの上方位置には、霧化ユニット３０の周辺適所に配設された注水装置３４から水２１を注入する給水口３１ｆが設けられ、この給水口形成側壁３１ｄの下方位置には開口堰３１ｈが設けられ、これにより、開口堰３１ｈの上方が開口され、導風口１８の上方部分で上部管路１７に接続する接続口３１ｇが形成されている。なお、給水口形成側壁３１ｄとこれに対向する給水口対向側壁３１ｅは、互いに平行に、ともに略鉛直方向に形成されている。
【００４７】
注水装置３４から給水口３１ｆを介して水溜め容器３１内に注入された水２１をこの開口堰３１ｈから接続口３１ｇを介して導風口１８上方の上部管路１７にオーバーフローさせることにより、簡単な構成で水溜め容器３１内の水２１を一定の満水位に保つように構成している。なお、この開口堰３１ｈからオーバーフローした水２１は、接続口３１ｇ、上部管路１７および導風口１８を介して水槽３に送給され、排水管路８を経由して機外に排出される。
【００４８】
超音波振動子３２は、超音波振動を発生させる圧電素子の超音波発振面３２ａを水溜め容器３１の底壁３１ａに密着させて配置されており、圧電素子を作動させることにより、超音波発信方向３２ｂ（超音波発振面３２ａに垂直な方向）に超音波振動が伝達されて水溜め容器３１内の水２１に液柱２２が形成される。なお、図７に示すように、超音波振動子３２は、超音波発振面３２ａが後方側壁３１ｃ側に向くように傾斜して取り付けられているので、液柱２２は、後方側壁３１ｃ方向および後述の誘水板３１ｋ方向に向けて形成される。この液柱２２の形成に伴い、矢印で示すように水溜め容器３１内の水２１には液柱２２に沿って上昇し、誘水板３１ｋの下面に遮られて、前方側壁３１ｂおよび後方側壁３１ｃ内面に沿って下降する水２１および空気の対流が発生する。それとともに、この液柱２２を通して伝達された超音波振動が水２１の表面を微細に振動させ、これにより液柱２２の先端付近の表面張力を弱めて、液柱２２の微細な振動に応じた微細な液滴であるミスト２０（霧）を発生させ、このミスト２０は、前記した水２１の対流運動に押し出されるようにして超音波発信方向３２ｂに向けて放出され、水２１および空気の対流に従って誘水板３１ｋの下面および前方側壁３１ｂと後方側壁３１ｃ内面に沿って上昇および下降し、その後、貯留された水２１の表面および前方側壁３１ｂとそ後方側壁３１ｃ内面に沿って接続口３１ｇを介して導風口１８上方の上部管路１７に放出される。そして、上部管路１７に放出されたミスト２０は、すぐ下方の導風口１８から水槽３に送り込まれ、さらに、回転ドラム４の底面開口４ｄを介して回転ドラム４内に導入される。
【００４９】
なお、液柱２２は、上述したように後方側壁３１ｃ内面に向かって傾斜して形成されるので、液柱２２によって水２１が直接接続口３１ｇを介して上部管路１７内にこぼれてしまうのを防止することができため、水溜め容器３１内の水２１の余分な減少を防止するこ
とができる。
【００５０】
注水装置３４は、水溜め容器３１においてミスト２０発生により消費された水２１を補給するためのものであり、注水装置３４の下方に設けられた給水口３４ａと水溜め容器３１の給水口３１ｆとの間は注水ホース３５によって接続され、その間の適所に開閉弁（図示せず）を備えている。注水装置３４は、霧化ユニット３０を起動させた最初の段階で、開閉弁を開いて、水溜め容器３１内に水が溜まるのに十分な所定時間だけ、注水装置３４の給水口３４ａから注水ホース３５を介して水２１を送給するとともに、過剰な水２１を後方側壁３１ｃの開口堰３１ｈからオーバーフローさせて、水溜め容器３１内の水２１を一定の満水位に保つ。この起動初期における注水動作は、休止中に蒸発等により減った水溜め容器３１内の水２１を補充し、常に適正水位の状態下で霧化ユニット３０を運転するためのものである。
【００５１】
水位センサ３３は、後方側壁３１ｃに開口されたセンサ取付孔３１ｉに挿通されて固定された２個の導通センサ３３ａ、３３ｂからなり、水溜め容器３１の貯留水域内の略同じ鉛直線上で上下方向に離間して配設されている。本実施の形態１において、上方に位置する導通センサ３３ａは、水溜め容器３１に貯留される水２１の満水位に対応する高さ位置に配設され、下方に位置する導通センサ３３ｂは、満水位の１／２に対応する高さ位置に配設されている。導通センサ３３ａ、３３ｂは、それぞれ単一の電極を有するものであり、双方の導通センサ３３ａ、３３ｂ（電極）間に電流が流れることが検知されたときに、水溜め容器３１内の水位が満水状態のレベル（満水位）にあるものと判別され、このようにして水溜め容器３１内の水位状態を検出することができる。
【００５２】
なお、本実施の形態１においては、水温センサを用いず、水位センサ３３により水溜め容器３１内の水温が適正な温度範囲に維持されるように制御している。すなわち、超音波振動子３２を作動させてミスト２０を発生させる前に、水溜め容器３１内の水２１を入れ替えるに要する時間だけ給水口３１ｆから水２１が供給され、水位センサ３３により水溜め容器３１内に溜められた水２１が満水状態にあることが検出された後、霧化により消費される水２１を給水口３１ｆから補給しながら、超音波振動子３２を作動させてミスト２０を発生させ続ける。超音波振動子３２を作動させてミスト２０を発生させ続けることにより、水溜め容器３１内の水温が上昇しようとするが、給水口３１ｆから水２１が補給され続けているため、水溜め容器３１内の水温はほぼ１〜２℃の温度範囲で変動するだけで、ほぼ一定の適正温度範囲に維持されることになる。
【００５３】
そして、霧化ユニット３０の最大ミスト発生条件にて水溜め容器３１内に溜められた水２１の水位がゼロレベルになるまで水２１を消費する時間に対して１／２の時間が経過した後に、水溜め容器３１内に水２１を補給しながら、水位センサ３３で水溜め容器３１内に溜められた水２１の水位を検知し、水位センサ３３により満水状態になったことが検知された場合は、そのまま超音波発振を継続するとともに、水位センサ３３により満水水位になったことが検知されない場合は、超音波発振を停止する。
【００５４】
しかしながら、水溜め容器３１内には霧化により消費される水２１を補給していることにより、実際の水位よりも上位にある導通センサ３３ａや後方側壁３１ｃに水飛沫がかかり、水滴として付着する。そして、この導通センサ３３ａや後方側壁３１ｃに付着した水滴等を介して、水滴が付着した導通センサ３３ａとその下位にある導通センサ３３ｂとの間に電流が流れた場合、水溜め容器３１内に貯留された水２１の水位が上方に位置する導通センサ３３ａの配設位置よりも高い位置にあるものと誤検出されることになる。すなわち、実際には満水位状態にないにもかかわらず、実際の水位よりも高い満水位状態にあると誤検出されることになる。
【００５５】
そこで、導通センサ３３ａ、３３ｂのうち上方に配設された導通センサ３３ａの上方、すなわち、導通センサ３３ａが装着されるセンサ取付孔３１ｉの上方に、後方側壁３１ｃから内方に突出してこの導通センサ３３ａの上方を覆う庇３１ｊが設けられる。本実施の形態１では、上方に配設された導通センサ３３ａだけでなく、下方に配設された導通センサ３３ｂにもこの導通センサ３３ｂの上方を覆う庇３１ｊが設けられている。この導通センサ３３ａ、３３ｂの上方を覆う庇３１ｊは、後方側壁３１ｃから内方に突出するにしたがい上方に変位する傾斜をもって配設されている。
【００５６】
したがって、この上方に配設される導通センサ３３ａに水滴が付着して、水溜め容器３１内に貯留された水２１の水位状態が誤検出されるのを防止することができる。また、下方に配設される導通センサ３３ｂにもこの導通センサ３３ｂの上方を覆う庇３１ｊが設けられていると、これらの導通センサ３３ａ、３３ｂに水滴が付着するのを防止するとともに、仮に、導通センサ３３ａや導通センサ３３ａの上方を覆う庇３１ｊに水滴が付着して下方に垂れ落ちる状態になったとしても、導通センサ３３ｂの上方を覆う庇３１ｊにより導通センサ３３ｂに流れ落ちるのが防止されるため、導通センサ３３ａ、３３ｂ間に電流が流れることなく、水溜め容器３１内に貯留された水２１の水位状態が誤検出されるのをより効果的に防止することができる。
【００５７】
なお、衣類等の洗濯物から発生する糸くず等のリントが導通センサ３３ａ、３３ｂ間に付着して留まった場合も、導通センサ３３ａ、３３ｂ間に電流が流れる要因となるが、導通センサ３３ａ、３３ｂの上方に設けられた庇３１ｊにより、リントが導通センサ３３ａ、３３ｂに付着するのが阻害され、水溜め容器３１内に貯留された水２１の水位状態が誤検出されるのをより効果的に防止することができる。
【００５８】
また、導通センサ３３ａ、３３ｂの上方を覆う庇３１ｊが内方に向かうにしたがい上方に変位する傾斜角度をもって後方側壁３１ｃに配設されているため、庇３１ｊに付着した水滴はこの庇３１ｊを介して後方側壁３１ｃ側に流れ、二次的にこの導通センサ３３ａ、３３ｂに付着することがなく、水溜め容器３１内に貯留された水２１の水位状態が誤検出されるのをより確実に防止することができる。
【００５９】
さらに、本実施の形態１では、導通センサ３３ａ、３３ｂの上方で、且つ、給水口３１ｆの下方に、この給水口３１ｆから供給される水を給水口３１ｆから離れた位置に誘導する誘水板３１ｋが設けられている。この誘水板３１ｋは、給水口３１ｆが設けられる給水口形成側壁３１ｄからこの給水口形成側壁３１ｄに対向する給水口対向側壁３１ｅ近くまで略水平方向に延設されており、誘水板３１ｋと給水口対向側壁３１ｅとの間には、給水口３１ｆから供給される水２１を給水口対向側壁３１ｅに沿わせて流す隙間３１ｌが開口されている。
【００６０】
これにより、給水口３１ｆから供給される水２１は、隙間３１ｌを介して給水口対向側壁３１ｅに沿って流れ落ちるようになるため、給水口対向側壁３１ｅを流れ落ちる水２１が導通センサ３３ａ、３３ｂにかかるのが、これらの導通センサ３３ａ、３３ｂの上方を覆う庇３１ｊにより回避され、導通センサ３３ａ、３３ｂに水滴として付着するのが防止されることになる。これにより、水溜め容器内３１に貯留された水２１の水位状態が誤検出されるのをより確実に防止することができる。
【００６１】
また、誘水板３１ｋの下面と、導通センサ３３ａの上方に設けられる庇３１ｊの上面との間を略鉛直方向に連結する誘水リブ３１ｍが後方側壁３１ｃから内方に突出して設けられている。これにより、給水口３１ｆから供給され、給水口対向側壁３１ｅに沿って流れ落ちる水２１は、誘水リブ３１ｋによって流れる方向が規制され、導通センサ３３ａ、３３ｂの上方を覆う庇３１ｊにより導通センサ３３ａ、３３ｂにかかるのが回避され、導通
センサ３３ａ、３３ｂに水滴として付着するのがより効果的に防止されることになる。これにより、水溜め容器３１内に貯留された水２１の水位状態が誤検出されるのをさらに確実に防止することができる。
【００６２】
このように、水溜め容器３１内に貯留された水２１の水位状態が誤検出されるのを防止することにより、正確に検出された水位状態に基づいて水溜め容器３１内に貯留された水２１の水位を適正範囲に維持することが可能となり、超音波振動子３２の劣化や破壊を防止することができる。しかも、水溜め容器内３１の水位を安定させ、水温を適正な温度範囲に維持することにより、適正なミスト発生量を維持して、衣類表面を効果的に適正な乾燥率に湿らせることができ、優れたシワ低減効果を発現させることができる。
【００６３】
ここで、回転ドラム４内の隅々にまでミスト２０を充満させるには、ミスト２０の浮遊性が重要となる。すなわち、十分な浮遊性を確保するためには、粒径が１０μｍ未満のミスト２０を用いるのが望ましい。ミスト２０の粒径が１０μｍ以上になると、ミスト２０自身の重量により簡単に落下し、回転ドラム４内に充満させるには効率が悪い。しかし、粒径１０μｍ以上のミスト２０は、ウェットミストと呼ばれ、高い濡れ性を有するという特徴がある。すなわち、粒径１０μｍ以上のウェットミストは、回転ドラム４内に導入するまでの途中の管路に衝突することにより、その管路に凝縮して付着しやすく、回転ドラム４内に到達するまでに量が減少してしまう。さらに、粒径１０μｍ以上のウェットミスト同士が互いに結合して、さらに大きな粒径のミスト２０になり、前記の管路への付着現象が顕著になる傾向がある。しかしながら、本実施の形態１では、接続口３１ｇを導風口１８の上方近傍に位置させており、移動経路を極力短く設定しているため、ウェットミストの減少を極めて少量に抑えることができる。
【００６４】
一方、粒径１０μｍ未満のミスト２０は、ドライミストと呼ばれ、浮遊性が高く、粒径が小さいことから表面張力が大きく、低い濡れ性を有するという特徴があるため、途中の管路には付着せずに、効率的に回転ドラム４内にまで到達させ、回転ドラム４内を粒径１０μｍ未満のミスト２０で充満させることができる。しかしながら、粒径１０μｍ未満のドライミストは、そのままでは濡れ性が低いので、回転ドラム４内に充満させても、衣類を十分に湿らせるまでには至らない。そこで、本実施の形態１では、水溜め容器３１内の水温をできるだけ高い温度に維持し、超音波振動子３２を作動させてミスト２０を発生させている。ミスト２０を発生させる場合、水溜め容器３１内の水温が高いほど、発生するミスト２０の量（霧化量）が増大する（霧化効率が向上する）とともに、発生するミスト２０の温度も高くなるので、この高い温度のミスト２０を回転ドラム４内に充満させると、粒径１０μｍ未満のドライミストでも、ミスト２０の温度よりも低い温度にある衣類の表面および回転ドラム４の周壁４ａ等に容易に凝縮して結露し、このとき回転ドラム４を回転駆動させ、衣類をかき混ぜることにより、衣類全体を効率的に湿らせることができる。
【００６５】
しかしながら、超音波振動子３２には前述したように使用上限温度が存在し、水溜め容器３１内の水２１の温度が上昇し、この上限温度を超えて使用すると、単位時間当たりのミスト２０の発生量が変化するだけでなく、超音波振動子３２が劣化したり、破壊されたりすることがある。本実施の形態１において使用される超音波振動子３２は、チタン酸ジルコン酸鉛等からなる圧電セラミックス体と、その下面および外周面に溶融銀を塗って固形化した電極とを有し、その表面はステンレス箔やチタン箔からなる表面保護材で覆われることで保護されており、電極が配された圧電セラミックス体と表面保護材とはエポキシ樹脂系等の接着剤を用いて接着されている。したがって、水溜め容器３１内の水温を、超音波振動子３２の使用上限温度である５０℃以下の適正な温度範囲（例えば、４５〜５０℃）に維持することにより、超音波振動子３２の劣化を抑制することができ、さらに、長期間にわたって良好な高温ミストの発生性能を維持することができる。
【００６６】
以上の霧化ユニット３０を用いたドラム式洗濯乾燥機１において、衣類のシワをのばして低減することを目的とした「シワのばしコース」を実行する際の動作について、以下に説明する。
【００６７】
水溜め容器３１内の水温を超音波振動子３２の使用上限温度を超えない範囲でできるだけ高い温度（所定温度）、例えば５０℃に維持し、この水溜め容器３１の底壁３１ａに配設された超音波振動子３２を作動させて、高温のミスト２０を発生させ、循環送風経路９を経由してドラム式洗濯乾燥機１の回転ドラム４内に導入する。ここで、水溜め容器３１内に加熱手段を配置して、この加熱手段により水溜め容器３１内の水温を上昇させることも可能であるが、本実施の形態１においては、水溜め容器３１内の貯水容量を少なくするとともに、超音波振動子３２を発振させることにより、水溜め容器３１内の水温を上昇させている。すなわち、簡単な構成で安価に高温のミスト２０を発生させることができるように構成している。
【００６８】
このような高い水温でミスト２０を発生させ、回転ドラム４内に導入し、前述したように、ウェットミストとドライミストとを回転ドラム４内の隅々にまで充満させて、回転ドラム内全体にわたって均一に湿度を上昇させるとともに、回転ドラム４を低い回転速度で回転駆動させることにより、衣類のどの表面部分にも水分が凝縮して満遍なく衣類を湿らせることができる。
【００６９】
そして、このように衣類全体が湿った状態となった後に、回転ドラム４および送風ファン１２を高い回転速度で回転駆動させ、蒸発器１０および凝縮器１１を起動して乾燥運転を実行することにより、衣類に付いたシワが水分により解放され、このような状態の衣類をかき混ぜることにより、シワをのばして低減することができる。
【００７０】
本実施の形態１における霧化ユニット３０には、側壁３１ｂに開口堰３１ｄが設けられ、霧化ユニット３０を起動させる最初の段階で、注水装置３３から水溜め容器３１に水２１を注入して、開口堰３１ｄからオーバーフローさせる動作を自動的に行うように制御している。この開口堰３１ｄは水溜め容器３１の底壁３１ａから少なくとも２０ｍｍ以上の高さ位置に設けられており、過度に水位が低下した状態で超音波振動子３２を作動させることにより、超音波振動子３２が劣化しやすくなるのを防止している。
【００７１】
さらに、本実施の形態１においては、ミスト２０を回転ドラム４内に導入する際に、送風ファン１２を低い回転速度で回転させてもよい。このときの循環送風経路９内での空気流の送風量はとしては、０．０５ｍ3 ／ｍｉｎ〜１．００ｍ3 ／ｍｉｎが望ましい。この送風量が０．０５ｍ3 ／ｍｉｎ未満であると、ウェットミストが回転ドラム４内に導入される際に、回転ドラム４内にある衣類が障害となって、回転ドラム４内に十分入り込めず、その一部が水槽３と回転ドラム４との間に流れ落ちることもあり、さらに、ドライミストの回転ドラム４内に導入される量が減って、前述したような効果が十分に得られないことになる。また、循環送風経路９内での空気流の送風量が１．００ｍ3 ／ｍｉｎを超えると、ウェットミストが乾燥空気送風管路１４（上部管路１７）の管壁に衝突してウェットミストの存在比率を減少させることになる。
【００７２】
実施の形態１に係る霧化ユニット３０に貯留される水２１と発生させたミスト２０の流れについては詳しく前述したので、つぎに、本発明の実施の形態１に係るドラム式洗濯乾燥機１の循環送風経路９（上部管路１７）と霧化ユニット３０における接合構造との関係について、図１０に基づいて補足的に説明する。図１０は、本発明の実施の形態１に係るドラム式洗濯乾燥機の循環送風経路と霧化ユニット周辺での水およびミストの流れを説明するための背面断面図である。
【００７３】
霧化ユニット３０に貯留される水２１は、前述したように、水溜め容器３１の上方に設けられた給水口３１ｆから導入され、誘水板３１ｋの上を給水口対向側壁３１ｅに向かって流れ、誘水板３１ｋと給水口対向側壁３１ｅとの間に形成された隙間３１ｌから給水口対向側壁３１ｅに沿って貯留水域に流れ落ち、貯留される。また、ミスト２０は、超音波振動子３１の発振により水溜め容器３１内の空間で発生し、上部管路１７との接続口３１ｇを介して循環送風経路９に導入される。図１０において、水溜め容器３１内の水２１およびミスト２０の流れが黒く塗りつぶされた矢印で示され、領域Ａで示される部分の内面が水２１が流れる領域であり、領域Ｂで示される部分の内面が水２１が貯留される領域であり、領域Ｃで示される部分の内面および領域Ｂで示される部分の循環送風経路９側の外面がミスト２０が付着して水２１で濡らされる領域である。
【００７４】
通常、循環送風経路９の上部管路１７と霧化ユニット３０は、それぞれ前面側の成形品と背面側の成形品とを樹脂成形により製作し、双方の成形品を互いに溶着して接合することにより完成品となる。本実施の形態１に係る霧化ユニット３０では、水溜め容器３１内を流れ、貯留される水２１の流れは、一部を開口堰３１ｈからオーバーフローさせて上部管路１７側に流す水２１も含めて、非常に限定的な範囲（領域）に留まるものであり、また、上部管路１７に放出されるミスト２０の流れも、乾燥した空気の流れに乗せて接続口３１ｇのすぐ下方に位置する導風口１８から水槽３に送り込まれるため、非常に限定的な範囲（領域）に留まるものである。
【００７５】
すなわち、図１０において領域Ａ〜Ｃで示される範囲は、本実施の形態１に係る霧化ユニット３０によれば、いずれも限定的な範囲に留まるため、上部管路１７および霧化ユニット３０を製作するに当たっての成形品の溶着部分も非常に限定された範囲に対して行えば良い。したがって、本実施の形態１に係る霧化ユニット３０ならびにこの霧化ユニット３０を使用するドラム式洗濯乾燥機１の製造コストを低く抑えることができる。
【００７６】
（実施の形態２）
続いて、本実施の形態２に係る霧化ユニット３０Ａの構造について、図１１に基づき詳細に説明する。図１１は、本発明の実施の形態２に係るドラム式洗濯乾燥機の霧化ユニットの構造を説明するための正面断面図である。
【００７７】
上記の実施の形態１では、水位センサ３３を構成する２個の導通センサ３３ａ、３３ｂが、水溜め容器３１の貯留水域内の略同じ鉛直線上で上下方向に離間して配設されていたが、本実施の形態２においては、上下方向に配設される２個の導通センサ３３ａ、３３ｂが、水平方向に互いに位置をずらして配設されている。その他の点については、上記の実施の形態１で説明した内容と同様であるので、ここでは説明を省略する。また、各構成要素の機能も同様であるので、同じ符号を付して説明する。
【００７８】
このように構成される霧化ユニット３０Ａでは、上下方向に配設される２個の導通センサ３３ａ、３３ｂが互いに水平方向に位置をずらして配設されるため、隣接する導通センサ３３ａ、３３ｂ相互間の離間距離が長くなり、導通センサ３３ａ、３３ｂや後方側壁３１ｃに付着した水滴等により水溜め容器３１内に貯留された水２１の水位状態が誤検出されるのをより効果的に防止することができる。
【００７９】
また、上方に配設された導通センサ３３ａは、誘水板３１ｋと給水口対向側壁３１ｅとの間に開口される隙間３１ｌの下方位置から離間する方向にずらして配設されており、給水口３１ｆから供給され、給水口対向側壁３１ｅに沿って流れ落ちる水が、隙間３１ｌの下方位置から離間した位置にある導通センサ３３ａにかかって水滴として付着するのがより効果的に回避されることになる。これにより、水溜め容器３１内に貯留された水２１の
水位状態が誤検出されるのをより確実に防止して、正確に検出された水位状態に基づいて水溜め容器３１内の水位を適正範囲に維持することが可能となり、超音波振動子３２の劣化や破壊を防止することができ、しかも、衣類表面を効果的に適正な乾燥率に湿らせて、優れたシワ低減効果を発現させることができる。
【００８０】
（実施の形態３）
つぎに、本実施の形態３に係る霧化ユニット３０Ｂの構造について、図１２に基づき詳細に説明する。図１２は、本発明の実施の形態３に係るドラム式洗濯乾燥機の霧化ユニットの構造を説明するための側面断面図である。
【００８１】
上記の実施の形態１では、水位センサ３３を構成する２個の導通センサ３３ａ、３３ｂが、水溜め容器３１の貯留水域内の略同じ鉛直線上で上下方向に離間して配設されていたが、本実施の形態３おいては、上方に配設される導通センサ３３ａが、下方に配設される導通センサ３３ｂよりも後方側壁３１ｃの内方に突出して配設されている。その他の点については、上記の実施の形態１で説明した内容と同様であるので、ここでは説明を省略する。また、各構成要素の機能も同様であるので、同じ符号を付して説明する。
【００８２】
上記の実施の形態１では、後方側壁３１ｃの下方部分は下方に向かうにしたがい前方側に傾斜するように形成され、導通センサ３３ａ、３３ｂの上方を覆う庇３１ｊは後方側壁３１ｃから内方に突出するにしたがい上方側に傾斜するように形成されていたが、本実施の形態２においては、後方側壁３１ｃの下方部分は略鉛直方向に形成され、導通センサ３３ａ、３３ｂの上方を覆う庇３１ｊは略水平方向に突出するように形成され、これによって上方に配設される導通センサ３３ａが、下方に配設される導通センサ３３ｂよりも後方側壁３１ｃの内方に突出するように構成している。
【００８３】
このように構成される霧化ユニット３０Ｂでは、上方に配設される導通センサ３３ａに付着した水滴が下方に落下する際に、下方に配設される導通センサ３３ｂに二次的に付着するのが抑制されることになる。これにより、水溜め容器３１内に貯留された水２１の水位状態が誤検出されるのをより効果的に防止して、正確に検出された水位状態に基づいて水溜め容器３１内の水位を適正範囲に維持することが可能となり、超音波振動子３２の劣化や破壊を防止することができ、しかも、衣類表面を効果的に適正な乾燥率に湿らせて、優れたシワ低減効果を発現させることができる。
【００８４】
（実施の形態４）
続いて、本実施の形態４に係る霧化ユニット３０Ｃの構造について、図１３に基づき詳細に説明する。図１３は、本発明の実施の形態４に係るドラム式洗濯乾燥機の霧化ユニットの構造を説明するための側面断面図である。
【００８５】
上記の実施の形態１では、水位センサ３３を構成する２個の導通センサ３３ａ、３３ｂの上方に設けられる庇３１ｊが、水溜め容器３１の貯留水域内の略同じ鉛直線上で上下方向に離間して配設されていたが、本実施の形態４おいては、上方に配設される導通センサ３３ａの上方に設けられる庇３１ｊが、下方に配設される導通センサ３３ｂの上方に設けられる庇３１ｊよりも後方側壁の内方に突出して配設されている。その他の点については、上記の実施の形態１で説明した内容と同様であるので、ここでは説明を省略する。また、各構成要素の機能も同様であるので、同じ符号を付して説明する。
【００８６】
このように構成される霧化ユニット３０Ｃでは、上方に配設される導通センサ３３ａに水滴が付着するのが抑制されるとともに、この導通センサ３３ａに付着した水滴が下方に落下する際に、下方に配設される導通センサ３３ｂに二次的に付着するのが抑制されることになる。これにより、水溜め容器３１内に貯留された水２１の水位状態が誤検出される
のをより効果的に防止して、正確に検出された水位状態に基づいて水溜め容器３１内の水位を適正範囲に維持することが可能となり、超音波振動子３２の劣化や破壊を防止することができ、しかも、衣類表面を効果的に適正な乾燥率に湿らせて、優れたシワ低減効果を発現させることができる。
【００８７】
（実施の形態５）
最後に、本実施の形態５に係る霧化ユニット３０Ｅの構造について、図１４に基づき詳細に説明する。図１４は、本発明の実施の形態５に係るドラム式洗濯乾燥機の霧化ユニットの構造を説明するための側面断面図である。
【００８８】
本実施の形態５おいては、上下方向に配設される導通センサ３３ａ、３３ｂの間に後方側壁３１ｃから内方に突出して略水平方向に延びる仕切り板３１ｎが設けられている。その他の点については、上記の実施の形態１で説明した内容と同様であるので、ここでは説明を省略する。また、各構成要素の機能も同様であるので、同じ符号を付して説明する。
【００８９】
このように構成される霧化ユニット３０Ｄでは、上方に配設される導通センサ３３ａに付着した水滴が下方に落下する際に、仕切り板３１ｎに遮られて、下方に配設される導通センサ３３ｂに二次的に付着するのが抑制されることになる。これにより、水溜め容器３１内に貯留された水２１の水位状態が誤検出されるのをより効果的に防止して、正確に検出された水位状態に基づいて水溜め容器３１内の水位を適正範囲に維持することが可能となり、超音波振動子３２の劣化や破壊を防止することができ、しかも、衣類表面を効果的に適正な乾燥率に湿らせて、優れたシワ低減効果を発現させることができる。
【００９０】
上記の実施の形態１〜５において、水位センサ３３は、後方側壁３１ｃに対して上下方向に配設された２個の導通センサ３３ａ、３３ｂで構成されているが、３個以上の導通センサで構成されても良い。また、２個の導通センサ３３ａ、３３ｂのそれぞれの上方にこれらの導通センサ３３ａ、３３ｂの上方を覆う庇３１ｊが設けられていたが、２個の導通センサ３３ａ、３３ｂのうち上方に配設された導通センサ３３ａの上方だけにこの導通センサ３３ａの上方を覆う庇３１ｊが設けられても良く、３個以上の導通センサで構成される場合には、これらの導通センサのうち少なくとも最も上方に配設される導通センサの上方にこの導通センサの上方を覆う庇３１ｊが設けられれば良い。
【００９１】
水位センサ３３が３個以上の導通センサで構成される場合、最も上方に位置する導通センサは、上記の実施形態における導通センサ３３ａと同様、満水位を検知する位置に配設され、他の導通センサは、水溜め容器３１内の水位状態を検出するために適した位置に適宜配設されれば良い。このように配設された３個以上の導通センサにより、互いの導通センサ間に流れる電流を検知することにより、水溜め容器３１内の水位状態をより正確に検出することができる。このように水位センサが３個以上の導通センサで構成されても、前述した本発明の効果を得ることができる。
【００９２】
なお、３個以上の導通センサで構成される場合、誘水板３１ｋは、これらの導通センサのうち最も上方に配設される導通センサの上方で、且つ、給水口３１ｆの下方に設けられれば良く、誘水リブ３１ｍは、誘水板３１ｋの下面と、最も上方に配設される導通センサの上方に設けられる庇３１ｊの上面との間を略鉛直方向に連結するように設けられれば良い。
【００９３】
なお、上記の実施の形態１〜５では、霧化ユニット３０内のミスト発生源として水２１を用いた例を説明したが、用途に応じて、Ａｇイオン電解液、洗剤液、消臭液、除菌液等を用いてもよく、それぞれの液剤（ミスト発生源）に対応した効果を得ることができる。
【産業上の利用可能性】
【００９４】
上記の実施の形態１〜５では、回転ドラム４を傾斜配置したドラム式洗濯乾燥機１を例にとって、本発明に係る霧化ユニット３０〜３０Ｄおよびそれを適用したドラム式洗濯乾燥機１の技術的内容について説明したが、本発明に係る霧化ユニット３０は、衣類等のシワ低減を目的とした衣類乾燥機などにも適用可能することができ、また、回転ドラムを水平方向に配した（回転ドラムの軸心を鉛直方向に配した）洗濯機にも適用することができる。さらに、高温ミスト２０の凝縮しやすい性質を利用して、本発明の霧化ユニット３０〜３０Ｄならびにその技術的内容を、超音波洗浄装置や脱臭装置、殺菌・除菌装置、塗装・コーティング装置、空調機、食器洗浄機などにも適用することができる。なお、上記の実施の形態１〜５で説明したドラム式洗濯乾燥機１においては、霧化する対象の液体として水を使用していたが、本発明の霧化ユニット３０〜３０Ｄを別用途の装置に適用する場合には、その用途に適した液体を使用することができる。
【図面の簡単な説明】
【００９５】
【図１】本発明の実施の形態１に係るドラム式洗濯乾燥機の構造を説明するための側面断面図である。
【図２】本発明の実施の形態１に係るドラム式洗濯乾燥機の循環送風経路および霧化ユニットの配置を説明するための筐体背面側から見た斜視図である。
【図３】本発明の実施の形態１に係るドラム式洗濯乾燥機の循環送風経路および霧化ユニットにおける乾燥空気とミストの流れを説明するための筐体背面側から見た一部切り欠き断面図である。
【図４】本発明の実施の形態１に係るドラム式洗濯乾燥機の循環送風経路と霧化ユニットとの接続構造を説明するための筐体背面側から見た一部切り欠き断面図である。
【図５】本発明の実施の形態１に係るドラム式洗濯乾燥機の霧化ユニットと水槽との接続構造を説明するための側面断面図である。
【図６】本発明の実施の形態１に係るドラム式洗濯乾燥機の霧化ユニットと水槽との接続構造を説明するための拡大側面断面図である。
【図７】本発明の実施の形態１に係るドラム式洗濯乾燥機の霧化ユニットの構造を説明するための側面断面図である。
【図８】本発明の実施の形態１に係るドラム式洗濯乾燥機の霧化ユニットの構造を説明するための背面断面図である。
【図９】本発明の実施の形態１に係るドラム式洗濯乾燥機の霧化ユニットの構造を説明するための正面断面図である。
【図１０】本発明の実施の形態１に係るドラム式洗濯乾燥機の循環送風経路と霧化ユニット周辺での水およびミストの流れを説明するための背面断面図である。
【図１１】本発明の実施の形態２に係るドラム式洗濯乾燥機の霧化ユニットの構造を説明するための正面断面図である。
【図１２】本発明の実施の形態３に係るドラム式洗濯乾燥機の霧化ユニットの構造を説明するための側面面断面図である。
【図１３】本発明の実施の形態４に係るドラム式洗濯乾燥機の霧化ユニットの構造を説明するための側面断面図である。
【図１４】本発明の実施の形態５に係るドラム式洗濯乾燥機の霧化ユニットの構造を説明するための側面断面図である。
【図１５】（ａ）は従来の霧化ユニットを備える洗濯乾燥機の構造を説明するための断面図であり、（ｂ）はその霧化ユニットの構造を説明するための断面図である。
【符号の説明】
【００９６】
１      ドラム式洗濯乾燥機（洗濯機）
２      洗濯乾燥機筐体
３      水槽
４      回転ドラム（洗濯兼脱水槽）
２０    ミスト
２１    水（液体）
３０    霧化ユニット
３１    水溜め容器（霧化室）
３１ａ  底壁
３１ｂ  前方側壁
３１ｃ  後方側壁（霧化室側壁）
３１ｄ  給水口形成側壁
３１ｅ  給水口対向側壁
３１ｆ  給水口
３１ｇ  接続口
３１ｈ  開口堰
３１ｉ  センサ取付孔
３１ｊ  庇
３１ｋ  誘水板
３１ｌ  隙間
３１ｍ  誘水リブ
３１ｎ  仕切り板
３２    超音波振動子
３３    水位センサ
３３ａ、３３ｂ  導通センサ
３４    注水装置
３５    注水ホース
【図１】
0004762218.tif 000002
【図２】
0004762218.tif 000003
【図３】
0004762218.tif 000004
【図４】
0004762218.tif 000005
【図５】
0004762218.tif 000006
【図６】
0004762218.tif 000007
【図７】
0004762218.tif 000008
【図８】
0004762218.tif 000009
【図９】
0004762218.tif 000010
【図１０】
0004762218.tif 000011
【図１１】
0004762218.tif 000012
【図１２】
0004762218.tif 000013
【図１３】
0004762218.tif 000014
【図１４】
0004762218.tif 000015
【図１５】
0004762218.tif 000016